(57)【特許請求の範囲】
【請求項１】
互いに時間的同期のとられた複数の通信システムに対応する無線通信端末であって、
基地局との間で前記複数の通信システムを捕捉して通信を行う通信部と、
複数の基地局情報を記憶する記憶部と、
前記通信部が優先度の低い通信システムにて待ち受けているとき、タイマに基づいて、優先度の高い通信システムへの待ち受けに移行するための捕捉処理を行うリセレクション処理を行う制御部と、を備え、
前記制御部は、
優先度の低い通信システムにて待ち受けている状態にて通信の開始が生じたとき、使用する基地局の基地局情報を前記記憶部に登録し、
前記通信が終了して待ち受けに移行するとき、待ち受ける基地局の基地局情報が前記記憶手段にて記憶される基地局情報に含まれているか判定し、含まれていると判定されれば前記タイマとして第１のリセレクションタイマを設定し、含まれていないと判定されれば前記タイマを第１のリセレクションタイマよりも短い周期である第２のリセレクションタイマを設定する
ことを特徴とする無線通信端末。
【請求項２】
前記記憶部に記憶された基地局情報は、それぞれカウンタが対応付けられており、
前記制御部は、前記第１のリセレクションタイマが満了すると、前記記憶部に記憶された基地局情報毎のカウンタのうち、前記第１のリセレクションタイマ設定直前の通信に用いた基地局以外のカウンタを所定値に一定量近づけるとともに、いずれかのカウンタが前記所定数に達すると、当該所定数に達したカウンタの対応付けられる基地局情報を前記記憶部から削除する
ことを特徴とする請求項１に記載の無線通信端末。
【請求項３】
前記制御部は、前記リセレクション処理を行い、前記優先度の高い通信システムの捕捉処理に失敗すると、直前に待ち受けていた基地局の基地局情報に対応するカウント値をリセットする
ことを特徴とする請求項２に記載の無線通信端末。
【請求項４】
前記制御部は、前記リセレクション処理を行い、前記優先度の高いシステムに待ち受けできたとき、直前に待ち受けていた基地局の基地局情報を前記記憶部から削除する
ことを特徴とする請求項２または３に記載の無線通信端末。
【請求項５】
前記制御部は、前記優先度の高いシステムでの待ち受け時間が所定時間以上継続した場合、前記記憶部の基地局情報を全件削除する
ことを特徴とする請求項２から４のいずれか一項に記載の無線通信端末。
【請求項６】
前記制御部は、前記優先度の高いシステムでの待ち受け時間が所定時間内である場合、前記記憶部の基地局情報ごとのカウンタを、前記待ち受け時間に対応する値分前記所定値に近づける
ことを特徴とする請求項２から５のいずれか一項に記載の無線通信端末。
【請求項７】
互いに時間的同期のとられた複数の通信システムに対応する無線通信端末であって、
優先度の低い通信システムにて待ち受けているとき、優先度の高い通信システムへの待ちうけ移行するための捕捉処理を行うリセレクション手段と、
前記リセレクション手段を起動するためのタイマ手段と、
複数の基地局情報を記憶する記憶手段と、
優先度の低い通信システムにて待ち受けている状態で通信が行われる際、使用する基地局情報を前記記憶手段に登録する登録手段と、
通信を終了して待ち受けに移行するとき、待ち受ける基地局の基地局情報が前記記憶手段にて記憶される基地局情報に含まれているか判定する判定手段と、
前記タイマ手段は長周期タイマと短周期タイマとを含み、
前記判定手段にて、前記基地局情報に含まれないと判定されれば前記短周期タイマ、含まれると判定されれば前記長周期タイマにて次のリセレクション手段起動を行うよう制御する無線通信端末。
【発明の詳細な説明】
【技術分野】
【０００１】
本発明は、互いに時間同期がとられた複数の通信システムに対応する無線通信端末に関するものである。
【背景技術】
【０００２】
基地局を介してネットワークとの接続を行う携帯端末装置において、通信品質を維持するために常に最良の基地局を選択することが必要とされている。
このため、従来、周辺セルの捕捉を高速に行うために、ＣＤＭＡ（Code Division Multiple Access）２０００ １ｘ方式における、現在待ち受けているセルの基地局から、その周辺基地局情報を受信して待ち受けセルの変更を行う技術が知られている（例えば、特許文献１、特許文献２参照）。
【０００３】
【特許文献１】特開２００５−２６０４２５号公報
【特許文献２】特開２００５−２６０４２７号公報
【発明の開示】
【発明が解決しようとする課題】
【０００４】
近年、複数の周波数帯（以下、通信システムという）で待ち受け可能な携帯端末装置が出現するようになった。すなわち、携帯端末装置は、電波状態、あるいはトラフィック上、常に最良の通信システムを選択することが要求され、上記した周辺基地局情報を用いて待ち受ける通信システムを変更するリセレクション処理についても知られている。
【０００５】
例えば、従来から８００ＭＨｚ帯（バンドクラス３）のインフラが整備されており、そのトラフィックが混雑してきたことから新規に割当てた８００ＭＨｚ帯（バンドクラス０）と、２ＧＨｚ帯（バンドクラス６）のインフラが新たに整備されたような環境（トライバンド対応）にあっては、当然ながら新しい周波数帯でのトラフィックが軽いため、それらを捕捉するための優先度を上位に設定したい。
【０００６】
しかしながら、インフラ的には、バンドクラス３が圧倒的に安定したカバーエリアであるため、一度バンドクラス３で待ち受けると、この周波数帯でＰＮ（Pseudo Noise）オフセットのみを変更したアイドルハンドオフのみで何ら問題なく携帯端末装置が稼動するため、上記した周辺基地局情報に基づいて周波数を跨ぐアイドルハンドオフの機会が無ければいつまでたってもバンドクラス６やバンドクラス０による待ち受けに変更することができない。
【０００７】
上記した問題を解決するために「リセレクション処理」が知られている。ここでいう「リセレクション処理」とは、携帯端末装置がいずれかの周波数帯で待ち受けしている状態において、一旦、その周波数帯における待ち受けを開放（セッション開放）し、他の優先度の高い周波数帯の捕捉を行い、優先度の高い周波数帯が周辺にあれば、その周波数帯における新たな位置登録を行うことにより待ち受ける周波数帯を上位の周波数帯に変更する技術である。
【０００８】
これに対し、上記した特許文献１、２には、２０００ １ｘ通信方式、ＥＶＤＯ（Evolution Data Only）通信方式内の各単一の通信システムにおける基地局変更についてのみ開示されており、上記した複数の通信システムを跨ぐリセレクションを実施するトライバンド対応の携帯端末装置への適用はできない。
【０００９】
本発明は、複数の通信システムを跨ぐリセレクションを効率よく実施することにより電力消費を抑え、着信の取り漏らしを極力回避するこのできる無線通信端末を提供することを目的とする。
【課題を解決するための手段】
【００１０】
上記した課題を解決するために本発明の無線通信端末は、互いに時間的同期のとられた複数の通信システムに対応する無線通信端末であって、基地局との間で前記複数の通信システムを捕捉して通信を行う通信部と、複数の基地局情報を記憶する記憶部と、前記通信部が優先度の低い通信システムにて待ち受けているとき、タイマに基づいて、優先度の高い通信システムへの待ち受けに移行するための捕捉処理を行うリセレクション処理を行う制御部と、を備え、前記制御部は、優先度の低い通信システムにて待ち受けている状態にて通信の開始が生じたとき、使用する基地局の基地局情報を前記記憶部に登録し、前記通信が終了して待ち受けに移行するとき、待ち受ける基地局の基地局情報が前記記憶手段にて記憶される基地局情報に含まれているか判定し、含まれていると判定されれば前記タイマとして第１のリセレクションタイマを設定し、含まれていないと判定されれば前記タイマを第１のリセレクションタイマよりも短い周期である第２のリセレクションタイマを設定する。
【００１１】
また、本発明の無線通信端末において、前記記憶部に記憶された基地局情報は、それぞれカウンタが対応付けられており、前記制御部は、前記第１のリセレクションタイマが満了すると、前記記憶部に記憶された基地局情報毎のカウンタのうち、前記第１のリセレクションタイマ設定直前の通信に用いた基地局以外のカウンタを所定値に一定量近づけるとともに、いずれかのカウンタが前記所定数に達すると、当該所定数に達したカウンタの対応付けられる基地局情報を前記記憶部から削除するように構成してもよい。
【００１２】
また、本発明の無線通信端末において、前記制御部は、前記リセレクション処理を行い、前記優先度の高い通信システムの捕捉処理に失敗すると、直前に待ち受けていた基地局の基地局情報に対応するカウント値をリセットするように構成してもよい。
【００１３】
また、本発明の無線通信端末において、前記制御部は、前記リセレクション処理を行い、前記優先度の高いシステムに待ち受けできたとき、直前に待ち受けていた基地局の基地局情報を前記記憶部から削除するように構成してもよい。
【００１４】
また、本発明の無線通信端末において、前記制御部は、前記優先度の高いシステムでの待ち受け時間が所定時間以上継続した場合、前記記憶部の基地局情報を全件削除するように構成してもよい。
【００１５】
また、本発明の無線通信端末において、前記制御部は、前記優先度の高いシステムでの待ち受け時間が所定時間内である場合、前記記憶部の基地局情報ごとのカウンタを、前記待ち受け時間に対応する値分前記所定値に近づけるように構成してもよい。
【００１６】
また、本発明の無線通信端末において、互いに時間的同期のとられた複数の通信システムに対応する無線通信端末であって、優先度の低い通信システムにて待ち受けているとき、優先度の高い通信システムへの待ちうけ移行するための捕捉処理を行うリセレクション手段と、前記リセレクション手段を起動するためのタイマ手段と、複数の基地局情報を記憶する記憶手段と、優先度の低い通信システムにて待ち受けている状態で通信が行われる際、使用する基地局情報を前記記憶手段に登録する登録手段と、通信を終了して待ち受けに移行するとき、待ち受ける基地局の基地局情報が前記記憶手段にて記憶される基地局情報に含まれているか判定する判定手段と、前記タイマ手段は長周期タイマと短周期タイマとを含み、前記判定手段にて、前記基地局情報に含まれないと判定されれば前記短周期タイマ、含まれると判定されれば前記長周期タイマにて次のリセレクション手段起動を行うよう制御する。
【発明の効果】
【００１７】
本発明の無線通信端末によれば、複数の通信システムを跨ぐリセレクションを効率よく実施することにより電力消費を抑え、着信の取り漏らしを極力回避することができる。
【発明を実施するための最良の形態】
【００１８】
図１は、本発明の実施の形態に係る無線通信端末の内部構成を示すブロック図である。ここでは、無線通信端末として、携帯電話が例示されている。
図１に示されるように、携帯電話は、通信部１１と、操作部１２と、音声処理部１３と、スピーカ（以下、ＳＰという）１４と、マイクロフォン（以下、ＭＩＣという）１５と、表示部１６と、記憶部１７と、制御部１８とにより構成される。
【００１９】
通信部１１は、複数の通信システムを捕捉し、例えば、ＣＤＭＡ２０００ １ｘ（以下、単に１ｘという）やＥＶＤＯの通信プロトコルにしたがい、通信網に接続される不図示の基地局を含む網側装置との間で無線通信を行う。
なお、ＥＶＤＯ通信は、１ｘ通信よりも高速であり、１ｘ通信は、ＥＶＤＯ通信と異なり、データ通信の他に音声通信もサポートするといった特徴を有している。
【００２０】
操作部１２は、例えば、電源キー、通話キー、数字キー、文字キー、方向キー、決定キー、発信キーなど、各種の機能が割り当てられたキーを有しており、これらのキーがユーザによって操作された場合に、その操作内容に対応する信号を発生し、これをユーザの指示として制御部１８に入力する。
【００２１】
音声処理部１３は、ＳＰ１４から出力される音声信号やＭＩＣ１５において入力される音声信号の処理を行う。
すなわち、音声処理部１３は、ＭＩＣ１５から入力される音声を増幅し、アナログ／デジタル変換を行い、更に符号化等の信号処理を施し、デジタルの音声データに変換して制御部１８に出力する。
また、音声処理部１３は、制御部１８から供給される音声データに復号化、デジタル／アナログ変換、増幅等の信号処理を施し、アナログの音声信号に変換してＳＰ１４に出力する。
【００２２】
表示部１６は、例えば、液晶表示パネルや有機ＥＬ（Electro-Luminescence）パネルなどの表示デバイスを用いて構成されており、制御部１８から供給される映像信号に応じた画像を表示する。
表示部１６は、例えば、発信時における発信先の電話番号、着信時における着信相手の電話番号、受信メールや送信メールの内容、日付、時刻、電池残量、発信成否、待ち受け画面などの各種の情報や画像を表示する。
【００２３】
記憶部１７は、制御部１８において処理に利用される各種のデータを記憶する。記憶部１７は、例えば、制御部１８が実行するアプリケーションプログラム、通信相手の電話番号や電子メールアドレス等の個人情報を管理するアドレス帳、着信音やアラーム音を再生するための音声ファイル、待ち受け画面用の画像ファイル、各種の設定データ、プログラムの処理過程で利用される一時的なデータなどを保持する。
ここでは、更に、周辺基地局情報が格納されるものとし、具体的には、図２に示されるように、下位の基地局毎、周波数チャンネル、パイロットＰＮ、ＳＩＤ（Sector ID）、ＮＩＤ（Network ID）から成る基地局情報の他に、これら基地局情報の更新管理を行うタイマカウンタ（TCNT）が割当てられ記憶されている。タイマカウンタ（TCNT）についての詳細は後述する。
なお、上記した記憶部１７は、例えば、不揮発性の記憶デバイス（フラッシュメモリ）やランダムアクセス可能な記憶デバイス（ＳＲＡＭ、ＤＲＡＭ）等によって構成される。
【００２４】
制御部１８は、携帯電話の全体的な動作を統括的に制御する。
すなわち、制御部１８は、携帯電話の各種の処理（回線交換網を介して行われる音声通話、電子メールの作成と送受信、インターネットのＷｅｂ（World Wide Web）サイトの閲覧などの制御）が操作部１２の操作に応じて適切な手順で実行されるように、上述した各ブロックの動作（通信部１１における信号の送受信、音声処理部１３における音声の入出力、表示部１６における画像の表示など）を制御する。
制御部１８は、記憶部１７に格納されるプログラム（オペレーティングシステム、アプリケーションプログラム等）に基づいて処理を実行するコンピュータ（マイクロプロセッサ）を備えており、このプログラムにおいて指示された手順に従って上述した処理を実行する。すなわち、制御部１８は、記憶部１７に格納されるオペレーティングシステムやアプリケーションプログラム等のプログラムから命令コードを順次読み込んで処理を実行する。
【００２５】
制御部１８はまた、優先度の低い通信システムで待ち受けているとき、優先度の高い通信システムへの待ち受けに移行する捕捉処理を行い、優先度の低い通信システムで待ち受けしているときに通信が行われる際、使用する基地局情報を記憶部１７に登録し、通信が終了して待ち受けるとき、その基地局の基地局情報が記憶部１７に登録されているか否かを判定し、基地局情報に含まれていると判定された場合に後述する第１のタイマ（長期間タイマ）を用い、含まれていないと判定された場合に第２のタイマ（短期間タイマ）を用いてリセレクション処理を起動する。
【００２６】
制御部１８は、図１にその内部構成が機能展開されて示されるように、主制御部１８１と、リセレクション処理部１８２と、タイマ監視部１８３と、基地局情報登録処理部１８４と、リセレクション処理起動制御部１８５と、により構成される。
なお、これらのブロックが持つ機能は、記憶部１７に記憶されるそれぞれのプログラムを制御部１８で実行することにより達成されるものであって、制御部１８内において実体的に他のブロックと区分され内蔵されるもののみを指すのではなく、あくまで説明の簡略化のために各処理部を分けて表現したものである。
【００２７】
主制御部１８１は、優先度の低い通信システムで待ち受けているとき、優先度の高い通信システムへの待ち受けに移行する捕捉処理を行う。
主制御部１８１は、優先度の低い通信システムで待ち受けしているときに通信が行われる際、使用する基地局情報を記憶部１７に登録し、通信が終了して待ち受けるとき、その基地局の基地局情報が記憶部１７に登録されているか否かを判定する。
主制御部１８１は、基地局情報に含まれていると判定された場合に後述する第１のリセレクションタイマ（長期間リセレクションタイマ）を用い、含まれていないと判定された場合に第２のリセレクションタイマ（短期間リセレクションタイマ）を用いてリセレクション処理を起動する制御部１８としての機能を実現するために、後述する各機能ブロック１８２〜１８５のシーケンス制御を行う。
【００２８】
リセレクション処理部１８２は、優先度の低い通信システムで待ち受けているとき、優先度の高い通信システムへの待ち受けに移行する捕捉処理を行う機能を有する。
リセレクションとは、後述するリセレクションタイマにて計時される時間間隔で所定周期毎に行われるようになっている。まず、リセレクションタイマ満了段階での待ち受け中の通信システムを一旦開放し（実質圏外に移行する）、ＰＲＬ（Preferred Roaming List）によって規定される優先度の高い順に通信システムのスキャンを行う。その結果、タイマ満了段階よりも上位の通信システムの存在が確認できた場合には、この上位通信システムに待ち受けを移行する。そして、上位の通信システムが見つからなくとも、元の通信システムは存在するため、最悪、元の通信システムでの待ち受けに復帰する。
【００２９】
タイマ監視部１８３は、リセレクション処理部１８２による優先度の高い通信システムへの待ち受けへの移行を起動する、第１のリセレクションタイマ（ここでは長周期タイマ２０１という）と、第１のリセレクションタイマより短い周期を有する第２のリセレクションタイマ（ここでは短周期タイマ２０２という）とを含む。
これらリセレクションタイマ２０１、２０２は、主制御部１８１により初期値が設定されてカウントを開始するとともにタイムアウト発生を主制御部１８１に通知する。
なお、長周期タイマ２０１は、待ち受け状態が長時間継続するケースを想定してリセレクション処理を起動するために用いられるタイマであり、短周期タイマ２０２は、通話終了、もしくはハンドオフを契機にリセレクション処理を起動するために用いられるリセレクションタイマである。
ちなみにリセレクションタイマは、既に述べたように、より上位の通信システムが存在するか否かを確認するための処理であるため、ＰＲL上の最上位（最優先）通信システムに待ち受けが成功した段階で、リセレクションタイマを停止する。
【００３０】
基地局情報登録処理部１８４は、通信部１１が優先度の低い通信システムで待ち受けしているときに通信が行われる際、使用する基地局情報を記憶部１７に登録する機能を有する。
また、基地局情報登録処理部１８４は、長周期タイマ２０１がタイムアウトした場合に、記憶部１７に記憶された基地局情報毎に設定されるタイマカウンタ（TCNT）のうち、直前の通信に用いた基地局以外の基地局情報に対応するタイマカウンタ（TCNT）を更新し、当該タイマカウンタ（TCNT）が所定数に達した場合に、記憶部１７から該当の基地局情報を削除する。
また、基地局情報登録処理部１８４は、リセレクション処理部１８２によるリセレクション処理の際、通信部１１が捕捉に失敗すると、直前に待ち受けしていた基地局の基地局情報に対応するタイマカウンタ（TCNT）の値をリセットする。
【００３１】
また、基地局情報登録処理部１８４は、リセレクション処理部１８２が、優先度の高い通信システムを待ち受けたとき、直前に待ち受けていた基地局に関して記憶部１７に記憶されている基地局情報から削除する。
また、基地局情報登録処理部１８４は、リセレクション処理部１８２による優先度の高い通信システムでの待ち受けが所定時間を越えた場合、記憶部１７に記憶された基地局情報を全件削除する。
また、基地局情報登録処理部１８４は、リセレクション処理部１８２による優先度の高い通信システムでの待ち受けが所定時間内に含まれる場合、待ち受けしていた時間に応じて記憶部１７に記憶された基地局情報に対応するタイマカウンタ（TCNT）を更新する。
【００３２】
リセレクション処理起動制御部１８５は、通信部１１による通信が終了して待ち受けるとき、その基地局の基地局情報が記憶部１７に登録されているか否かを判定し、その基地局情報に含まれていると判定された場合に長周期タイマ２０１を用い、含まれていないと判定された場合に短周期タイマ２０２を用いてリセレクション処理部１８２を起動するためのタイマを設定する機能を有する。
なお、上記した各機能ブロック１８２〜１８５は、いずれも主制御部１８１によるシーケンス制御の下で起動され動作するものとする。
【００３３】
図３〜図７は、本発明の実施の形態に係る無線通信端末の動作を説明するために示したフローチャートであり、発着信開始時の動作（図３）、通話終了後の待ち受け動作（図４）、リセレクションタイマタイムアウト時の動作（図５）、リセレクション動作（図６）、下位通信システム移行時のリセレクション動作（図７）のそれぞれを示す。
以下、図３〜図７のフローチャートを参照しながら、図１、図２に示す本発明の実施の形態に係わる無線通信端末の動作について詳細に説明する。
【００３４】
まず、図３のフローチャートを参照して発着信開始時の動作について説明する。
【００３５】
無線通信端末（制御部１８）は、発着信要求が発生して優先度の低い下位通信システムにて発着信動作を開始するにあたり、即座に記憶部１７を参照して直前までに通信を行っていた基地局の基地局情報が登録されているか否かを判定する（ステップＳ３１）。
ここで、登録されていれば発着信動作を行い、登録されていなければその基地局情報の新規登録を行う（ステップＳ３２）。なお、新規登録の際は、対応するタイマカウンタ（TCNT）に、値“０”を設定する。
【００３６】
次に、下位通信システムで通話が終了後の最初の待ち受け状態において、図４のフローチャートに示されるように、リセレクション処理起動制御部１８５は、最初に待ち受けた基地局の基地局情報と記憶部１７に記憶されている基地局情報とを比較し（ステップＳ４１）、一致する基地局情報があれば（ステップＳ４１“Ｙｅｓ”）、通話終了時に起動された短周期タイマ２０２による計時を停止して長周期タイマ２０１に切り替える（ステップＳ４２）。
【００３７】
一方、リセレクション処理起動制御部１８５は、一致する基地局情報がなければ（ステップＳ４１“Ｎｏ”）、短周期タイマ２０２による待ち受け状態を継続し、タイマ監視部１８３による短周期タイマ２０２のタイムアウト検知によりリセレクション処理部１８２を起動してリセレクション動作の開始を指示する。
【００３８】
次に、タイマカウンタ（TCNT）のカウント周期を長周期タイマ２０１の整数倍として制御する場合のリセレクションタイマタイムアウト時の動作について、図５のフローチャートを用いて説明する。
【００３９】
図５において、基地局情報登録処理部１８４は、主制御部１８１による制御の下、長周期タイマ２０１がタイムアウト（TO）する毎に記憶部１７に記憶された基地局情報を全件参照し（ステップＳ５１“未完”）、現在待ち受けている基地局以外の基地局情報に対応するタイマカウンタ（CNT）を＋１更新する（ステップＳ５２“Ｎｏ”、Ｓ５３）。
そして、タイマカウンタ（CNT）が所定の値を超えた場合（ステップＳ５４“Ｙｅｓ”）、例えば、値“３”を超えた場合に対応する基地局情報を消去する（ステップＳ５５）。
ところで、一般的には長周期タイマを１時間、短周期タイマを数十秒としているため、タイマカウンタが３を示すことは、３時間経過を意味する。つまり、基地局情報登録処理部１８４は、基地局を登録してから下位システムでの待ち受けが少なくとも連続３時間以上経過すれば、この基地局の情報は削除することとなる。
【００４０】
続いて、図６のフローチャートに示されるように、タイマ監視部１８３で長周期タイマ２０１のタイムアウトが検出され、リセレクション処理部１８２で優先度が高い上位の通信システムを捕捉できた場合（ステップＳ６１“Ｙｅｓ”）、基地局情報登録処理部１８４は、記憶部１７を参照し、直前に待ち受けていた基地局情報が記憶部１７に登録されていればその情報を消去する（ステップＳ６２）。
そして、上位通信システムへ待受けたときの時間を記憶部１７に記憶して発着信動作に進む（ステップＳ６４）。
一方、リセレクション処理部１８２で上位通信システムが捕捉出来ず（ステップＳ６１“Ｎｏ”）、直前に待ち受けていた基地局情報が記憶部１７に登録されていれば、その基地局情報に対応するタイマカウンタ（TCNT）を、最も消去される可能性が低い値“０”にリセットしてリセレクション動作を終了する（ステップＳ６３）。
これにより、一旦はリセレクションを行ったにもかかわらず失敗した、すなわち上位システムの捕捉に成功することの低い地域を、より長く記憶部１７に残すこととなるため、上位システムの存在しない地域でのリセレクションを極力抑えることが出来、省電力につながる。
【００４１】
なお、基地局情報登録処理部１８４は、図７のフローチャートに示されるように、上位通信システムから下位通信システムへの待ち受け切替え時、下位通信システムへ待ち受けた時の時間を記憶しておき（図６のステップＳ６４、図７のステップＳ７１）、次回、下位通信システムに待ち受けた場合の時間差が所定の値（ここでは“３時間”）を超えていた場合（ステップＳ７２“Ｙｅｓ”）、記憶部１７に登録されている全ての基地局情報を消去する（ステップＳ７３）。また、“３時間”未満の場合（ステップＳ７２“Ｎｏ”）、例えば、その経過時間を１時間ならば“１”、２時間ならば“２”という具合に、タイマカウンタ（TCNT）に加算し、値“３”を超える基地局情報のみを消去してもよい。
【００４２】
以上説明のように本発明の実施の形態に係る無線通信端末（制御部１８）は、通信部１１が優先度の低い通信システムで待ち受けているとき、優先度の高い通信システムへの待ち受けに移行するリセレクション処理を起動する第１のリセレクションタイマ（長周期タイマ２０１）と、第１のリセレクションタイマより短い周期を有する第２のリセレクションタイマ（短周期タイマ２０２）とを有し、優先度の低い通信システムで待ち受けしているときに通信が行われる際、使用する基地局情報を記憶部１７に登録し、当該通信が終了して待ち受けるとき、その基地局の基地局情報が記憶部１７に登録されているか否かを判定し、記憶部１７に記憶された基地局情報に含まれていると判定された場合、長周期タイマ２０１を用い、含まれていないと判定された場合に短周期タイマ２０２を用いてリセレクション処理を実行することにより、無駄なリセレクション動作や捕捉動作を行う機会が減るため、消費電流を抑えることができ、待ち受け時間が減少してユーザビリティの向上がはかれる。
【００４３】
また、記憶部１７に記憶された基地局情報を管理するために、タイマカウンタ（TCNT）を有し、長周期タイマ２０１がタイムアウトした場合に、記憶部１７に記憶された基地局情報毎に設定されるタイマカウンタ（TCNT）のうち、直前の通信に用いた基地局以外の基地局情報に対応するタイマカウンタ（TCNT）を更新し、当該タイマカウンタ（TCNT）が所定数に達した場合に、記憶部１７から該当の基地局情報を削除することにより、あるいは、リセレクション処理の際、通信システムの捕捉に失敗すると、直前に待ち受けしていた基地局の基地局情報に対応するタイマカウンタ（TCNT）の値をリセットすることにより、リセレクション動作をより最適化することができ、更に、より安定した通信システムでの待ち受け状態を長く維持できるため、着信通知などの取りこぼしを極力抑えることができる。
【００４４】
なお、上記した本発明の実施の形態に係る無線通信端末によれば、無線通信端末として携帯電話のみ例示したが、同様の構成を有する、例えば、ＰＤＡ（Personal Digital Assistants）、やゲーム機等にも同様に適用が可能である。
【００４５】
また、図１に示す本発明の実施の形態に係る無線通信端末（制御部１８）が有する各構成ブロックの機能は、全てをソフトウェアによって実現しても、あるいはその少なくとも一部をハードウェアで実現してもよい。
例えば、主制御部１８１と、リセレクション処理部１８２と、タイマ監視部１８３と、基地局情報登録処理部１８４と、リセレクション処理起動制御部１８５におけるデータ処理は、１または複数のプログラムによりコンピュータ上で実現してもよく、また、その少なくとも一部をハードウェアで実現してもよい。
【図面の簡単な説明】
【００４６】
【図１】本発明の実施の形態に係る無線通信端末の内部構成を示すブロック図である。
【図２】本発明の実施の形態に係る無線通信端末で使用される記憶部のデータ構造の一例を示した図である。
【図３】本発明の実施の形態に係る無線通信端末の発着信開始時の動作を示すフローチャートである。
【図４】本発明の実施の形態に係る無線通信端末の通話終了後の待ち受け動作を示すフローチャートである。
【図５】本発明の実施の形態に係る無線通信端末のリセレクションタイマタイムアウト時の動作を示すフローチャートである。
【図６】本発明の実施の形態に係る無線通信端末のリセレクション動作を示すフローチャートである。
【図７】本発明の実施の形態に係る無線通信端末の下位通信システム移行時のリセレクション動作を示すフローチャートである。
【符号の説明】
【００４７】
１１…通信部、１２…操作部、１３…音声処理部、１４…スピーカ、１５…マイク、１６…表示部、１７…記憶部、１８…制御部、１８１…主制御部、１８２…リセレクション処理部、１８３…タイマ監視部、１８４…基地局情報登録処理部、１８５…リセレクション処理起動制御部。
【図１】
0005085203.tif 000002
【図２】
0005085203.tif 000003
【図３】
0005085203.tif 000004
【図４】
0005085203.tif 000005
【図５】
0005085203.tif 000006
【図６】
0005085203.tif 000007
【図７】
0005085203.tif 000008